(57)【要約】【課題】光源を効率良く冷却すると共に、小型化を図った光源装置を提供する。【解決手段】光源装置３は、光束を射出する光源３１と、光源３１を保持し、光源３１から射出された光束を反射するリフレクター３３と、リフレクター３３を保持する保持部６と、光源装置３が射出する光束の射出方向と同一方向に延出する回転軸６２Ｊを中心として、保持部６を回動可能に支持する支持部７と、を備えている。【選択図】図４
2011076734.tif 000002
【特許請求の範囲】
【請求項１】
光源装置であって、
光束を射出する光源と、
前記光源を保持し、前記光源から射出された光束を反射するリフレクターと、
前記リフレクターを保持する保持部と、
当該光源装置が射出する前記光束の射出方向と同一方向に延出する回転軸を中心として、前記保持部を回動可能に支持する支持部と、
を備えていることを特徴とする光源装置。
【請求項２】
請求項１に記載の光源装置であって、
前記保持部には、前記回転軸に対して互いに１８０°回転対称となる形状を有する複数の開口部が設けられていることを特徴とする光源装置。
【請求項３】
請求項１または請求項２に記載の光源装置であって、
前記回転軸は、前記光源の光軸に対して離間して設けられていることを特徴とする光源装置。
【請求項４】
請求項１〜請求項３のいずれか一項に記載の光源装置であって、
前記光源装置は、前記光源に電力を供給する電源装置に接続されるコネクターを備え、
前記コネクターは、前記支持部に固定されていることを特徴とする光源装置。
【請求項５】
請求項１〜請求項４のいずれか一項に記載の光源装置であって、
前記保持部は、前記支持部に対して回動する範囲が規制されていることを特徴とする光源装置。
【請求項６】
請求項１〜請求項５のいずれか一項に記載の光源装置と、
前記光源装置から射出された光束を画像情報に応じて変調し、画像光を形成する電気光学装置と、
前記画像光を投射する投射光学装置と、
を備えていることを特徴とするプロジェクター。
【発明の詳細な説明】
【技術分野】
【０００１】
本発明は、光源装置および光源装置を備えたプロジェクターに関する。
【背景技術】
【０００２】
従来、光源装置から射出された光束を画像情報に応じて変調して画像光を形成し、この画像光を投射するプロジェクターが知られている。多くのプロジェクターは、机上等に配置される据置き姿勢、および上下反転されて天井に設置される天吊り姿勢にて投射が可能に構成されている。光源装置は、例えば超高圧水銀ランプ等の放電型の光源、および光源から射出された光束を反射するリフレクター等を備えている。リフレクターは、被照射面へ効率良く光束を反射するために十分な大きさを確保する必要があり、プロジェクターの薄型化の障害となる場合がある。そこで、プロジェクターの薄型化のために、リフレクターの薄型化を図る技術が提案されている（例えば、特許文献１参照）。
【０００３】
特許文献１に記載の光源装置（光源ユニット）は、光源（ランプ）、楕円形のリフレクター、および球面形状のリフレクターを備えている。楕円形のリフレクターは、回転楕円体を略半分に切断した形状を有し、光源から射出された光束を反射するように形成されている。球面形状のリフレクターは、光源を挟んで楕円形のリフレクターの反対側に光源に近接して配置され、光源から射出された光束を楕円形のリフレクターに反射するように形成されている。
【先行技術文献】
【特許文献】
【０００４】
【特許文献１】特開２００１−１０９０６８号公報
【発明の概要】
【発明が解決しようとする課題】
【０００５】
光源は、鉛直方向において、下側よりも上側の温度上昇が著しいため、上側を十分冷却することが求められる。
しかしながら、特許文献１に記載の光源装置は、プロジェクターが据置き姿勢あるいは天吊り姿勢の際に、鉛直方向において、球面型のリフレクターが光源の上方に位置することとなり、この球面型のリフレクターが近接して配置されている光源に効率良く空気を導くことが困難となる。このため、光源は、十分冷却されず劣化する恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る光源装置は、光束を射出する光源と、前記光源を保持し、前記光源から射出された光束を反射するリフレクターと、前記リフレクターを保持する保持部と、当該光源装置が射出する前記光束の射出方向と同一方向に延出する回転軸を中心として、前記保持部を回動可能に支持する支持部と、を備えていることを特徴とする。
【０００８】
この構成によれば、光源、リフレクターおよび保持部は、支持部に対して、回転軸を中心として回動可能になっている。回転軸は、光源装置が射出する光束の射出方向（以下、「光束射出方向」という）と同一方向に延出しているので、支持部に対して保持部を回動することによって、光束射出方向を変えずに、光源の姿勢を変更することができる。これによって、プロジェクター等のように製品を上下反転して使用する機器にこの光源装置を搭載することで、鉛直方向における光源の姿勢を同一にすることができる。よって、製品の姿勢が変更された際にも、光源に対する空気の流れを同様に構成することが可能となる。したがって、光源装置は、空気の流れを変更させる機構等を用いることなく小型化や薄型化が図られつつ、光源の効率的な冷却が可能となる。
【０００９】
［適用例２］上記適用例に係る光学装置において、前記保持部には、前記回転軸に対して互いに１８０°回転対称となる形状を有する複数の開口部が設けられていることが好ましい。
【００１０】
この構成によれば、保持部には、複数の開口部が形成されているので、これらの開口部を光源装置内に冷却空気を取り込むための開口部、および光源装置内の温まった空気を排出するための開口部として構成することができる。また、これらの開口部は、回転軸に対して互いに１８０°回転対称となる形状を有しているので、光源装置は、保持部が１８０°回動される前と、１８０°回動された後とで、空気が流通する流路を同様に形成することが可能となる。よって、プロジェクター等の製品を上下反転して使用する機器にこの光源装置を搭載することで、上下反転する前と後の姿勢の双方において、同様の流路によって光源を効率的に冷却することが可能となる。なお、１８０°とは、設定される角度であり、製造上による各部品の公差等によって生じるばらつく角度は含まれない。
【００１１】
［適用例３］上記適用例に係る光学装置において、前記回転軸は、前記光源の光軸に対して離間して設けられていることが好ましい。
【００１２】
この構成によれば、光源の光軸方向から見て光源がリフレクターの中央部からずれた位置に配置される光源装置の場合、例えば、一部が切断されたリフレクターと、副反射部とによって光源が囲まれるように構成される光源装置の場合、光源の光軸に対してリフレクター端部側に回転軸を離間させることで、光源の光軸と回転軸とを一致させた場合に比べて、保持部を回動させた際のリフレクターの回転軌跡を小さくすることができる。よって、保持部が回動される前後における光源装置の小型化や薄型化が図れる。
【００１３】
［適用例４］上記適用例に係る光学装置において、前記光源装置は、前記光源に電力を供給する電源装置に接続されるコネクターを備え、前記コネクターは、前記支持部に固定されていることが好ましい。
【００１４】
この構成によれば、コネクターは、支持部に固定されているので、保持部の回動にかかわらず所定の位置に固定される。よって、使用者は、光源装置を製品に装着する際に、電源装置に安定してコネクターを接続することができる。
【００１５】
［適用例５］上記適用例に係る光学装置において、前記保持部は、前記支持部に対して回動する範囲が規制されていることが好ましい。
【００１６】
光源とコネクターとの間に配線されるケーブル等の接続部材は、一方の端部がコネクターに接続されて固定され、他方の端部は、光源に接続されて光源と共に回動されることとなる。この構成によれば、接続部材の他方の端部は、光源と共に回動される範囲が規制されるので、接続部材は、保持部が回動される際に伴う捩れ等の負荷が軽減され、接続信頼性を維持することが可能となる。
【００１７】
［適用例６］本適用例に係るプロジェクターは、上述したいずれか一項に記載の光源装置と、前記光源装置から射出された光束を画像情報に応じて変調し、画像光を形成する電気光学装置と、前記画像光を投射する投射光学装置と、を備えていることを特徴とする
【００１８】
この構成によれば、プロジェクターは、上述した光源装置を備えているので、据置き姿勢、および天吊り姿勢の双方において、光源を効率的に冷却することが可能になると共に、小型化や薄型化が図られる。
【図面の簡単な説明】
【００１９】
【図１】本実施形態のプロジェクターの概略構成を示す模式図。
【図２】本実施形態の光源装置の斜視図。
【図３】本実施形態の光源装置の分解斜視図。
【図４】本実施形態の光源装置の断面図。
【図５】本実施形態の光源装置を前方から見た断面図。
【図６】本実施形態の光源装置を右方から見た断面図。
【図７】本実施形態の光源装置を前方から見た断面図。
【発明を実施するための形態】
【００２０】
以下、本実施形態に係るプロジェクターについて、図面を参照して説明する。
本実施形態のプロジェクターは、光源装置から射出された光束を画像情報に応じて変調して画像光を形成し、その画像光をスクリーン等に拡大投射する。また、本実施形態のプロジェクターは、机上等に配置された据置き姿勢、および据置き姿勢に対して上下反転して天井に設置する天吊り姿勢にて投射することができるように構成されている。
図１は、本実施形態のプロジェクターの概略構成を示す模式図である。
図１に示すように、プロジェクター１は、光源装置３を有し、略Ｌ字状に形成された光学ユニット２、冷却ファン４１、排気ファン４２、外装を構成する外装筐体５、図示しない制御部、および光源装置３や制御部等に電力を供給する電源装置ＰＳ等を備えている。
【００２１】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投射に関わる制御等を行う。
【００２２】
光学ユニット２は、制御部による制御の下、光源装置３から射出された光束を光学的に処理し、画像情報に応じた画像光を形成して投射する。
図１に示すように、光学ユニット２は、光源装置３に加え、照明光学装置２２、色分離光学装置２３、リレー光学装置２４、電気光学装置２５、投射光学装置としての投射レンズ２６、およびこれらの光学部品を所定位置に配置する光学部品用筐体２７を備える。
【００２３】
光源装置３は、超高圧水銀ランプやメタルハライドランプ等の放電型のランプで構成された光源３１、副反射部３２、リフレクター３３、および平行化レンズ３４等を備える。そして、光源装置３は、光源３１から射出された光束、および副反射部３２にて反射した光束をリフレクター３３によって射出方向を揃え、平行化レンズ３４によって平行化して照明光学装置２２に射出する。なお、平行化レンズ３４は、照明光学装置２２への射出位置を補正する機能を有するように構成してもよい。
【００２４】
また、光源装置３は、光学部品用筐体２７に着脱可能になっており、光源３１、副反射部３２、リフレクター３３、および平行化レンズ３４は、光源装置３内で回動可能に構成されている。そして、光源装置３は、プロジェクター１の据置き姿勢、および天吊り姿勢、いずれの姿勢においても上側となる部位が同一となるように構成されている。光源装置３については、後で詳細に説明する。
【００２５】
照明光学装置２２は、第１レンズアレイ２２１、第２レンズアレイ２２２、偏光変換素子２２３、および重畳レンズ２２４を備える。
第１レンズアレイ２２１は、略矩形の輪郭を有する小レンズがマトリックス状に配列された構成を有しており、光源装置３から射出された光束を複数の部分光束に分割する。第２レンズアレイ２２２は、第１レンズアレイ２２１と略同様の構成を有しており、重畳レンズ２２４とともに、部分光束を後述する液晶パネル２５２の表面に略重畳させる。偏光変換素子２２３は、第２レンズアレイ２２２から射出されたランダム偏光光を液晶パネル２５２で利用可能な略１種類の偏光光に揃える機能を有する。
【００２６】
色分離光学装置２３は、２枚のダイクロイックミラー２３１，２３２、および反射ミラー２３３を備え、照明光学装置２２から射出された光束を赤色光（以下「Ｒ光」という）、緑色光（以下「Ｇ光」という）、青色光（以下「Ｂ光」という）の３色の色光に分離する機能を有する。
【００２７】
リレー光学装置２４は、入射側レンズ２４１、リレーレンズ２４３、および反射ミラー２４２，２４４を備え、色分離光学装置２３で分離されたＢ光をＢ光用の液晶パネル２５２Ｂまで導く機能を有する。なお、光学ユニット２は、リレー光学装置２４がＢ光を導く構成としているが、これに限らず、例えば、Ｒ光を導く構成としてもよい。
【００２８】
電気光学装置２５は、入射側偏光板２５１、光変調素子としての液晶パネル２５２、射出側偏光板２５４、色合成光学装置としてクロスダイクロイックプリズム２５５を備え、色分離光学装置２３で分離された各色光を画像情報に応じて変調し、画像光を形成する。
入射側偏光板２５１は、３色の色光毎に備えられており、色分離光学装置２３で分離された各色光のうち、偏光変換素子２２３で揃えられた偏光光を透過し、その偏光光と異なる偏光光を吸収して液晶パネル２５２に射出する。
【００２９】
液晶パネル２５２は、３色の色光毎に備えられており（Ｒ光用の液晶パネルを２５２Ｒ、Ｇ光用の液晶パネルを２５２Ｇ、Ｂ光用の液晶パネルを２５２Ｂとする）、入射側偏光板２５１から射出された偏光光束の偏光方向を変調する。
射出側偏光板２５４は、入射側偏光板２５１と略同様の機能を有し、液晶パネル２５２から射出された光束のうち一定方向の偏光光を透過し、その他の光束を吸収する。
【００３０】
クロスダイクロイックプリズム２５５は、４つの直角プリズムを貼り合わせた平面視略正方形状をなし、直角プリズム同士を貼り合わせた界面には、２つの誘電体多層膜が形成されている。誘電体多層膜は、液晶パネル２５２Ｒ，２５２Ｂから射出され、射出側偏光板２５４を介して射出された色光を反射し、液晶パネル２５２Ｇから射出され、射出側偏光板２５４を介して射出された色光を透過する。このようにして、クロスダイクロイックプリズム２５５は、各液晶パネル２５２Ｒ，２５２Ｇ，２５２Ｂにて変調された各色光を合成して画像光を形成する。
【００３１】
投射レンズ２６は、複数のレンズを組み合わせた組レンズとして構成され、電気光学装置２５にて形成された画像光をスクリーン上に拡大投射する。
【００３２】
冷却ファン４１は、シロッコファンで構成され、光源装置３の側方に配置される。そして、冷却ファン４１は、光源装置３に冷却空気を送風して光源３１を冷却する。
【００３３】
排気ファン４２は、光源装置３および電源装置ＰＳによって温められた空気等を外装筐体５の外部に排出する。
【００３４】
ここで、光源装置３について詳細に説明する。
図２〜図４は、据置き姿勢に対応した状態（以下、「据置き対応状態」という）の光源装置３を模式的に示す図であり、図２は、斜視図、図３は、分解斜視図、図４は、断面図である。
図２〜図４に示すように、光源装置３は、光源３１、副反射部３２、リフレクター３３、および平行化レンズ３４に加え、保持部６、支持部７、およびコネクター８等を備えている。
【００３５】
なお、以下において、説明の便宜上、光源装置３が光束を射出する方向を前方向（＋Ｘ方向）、プロジェクター１が設置された姿勢における鉛直方向の上側を上方向（＋Ｚ方向）、Ｘ方向およびＺ方向に直交し、図２の図面視における右側を右方向（＋Ｙ方向）として記載する。また、図４において、光源装置３の姿勢を明確にするために、光源装置３を据置き姿勢のプロジェクター１に組み込んだ際の、外装筐体５の外形形状およびプロジェクター１が設置される設置面ＴＢを２点鎖線で模式的に示す。
【００３６】
光源３１は、図３、図４に示すように、放電空間が形成された球状の発光部３１１、および発光部３１１を挟み、互いに離間する方向に延出する一対の封止部（前段側封止部３１２、後段側封止部３１３）を有して構成されている。
【００３７】
発光部３１１は、内部に水銀、希ガス等が封入されており、図４に示すように、一対の電極３１１１が先端を近接対向して配置され、それぞれの電極の他端が金属箔３１１２等に接続されて前段側封止部３１２、後段側封止部３１３にそれぞれ支持されている。それぞれの金属箔３１１２は、図示しないケーブルによってコネクター８に接続されている。光源３１は、電源装置ＰＳからの電力がコネクター８を介して電極３１１１に供給されることによって、対向している電極３１１１間で放電が発生して光束を射出する。
【００３８】
前段側封止部３１２および後段側封止部３１３は、それぞれ円柱状に形成されており、光源３１は、一対の封止部のうち光路後段側に位置する後段側封止部３１３がリフレクター３３にセメント等の無機系接着剤によって固着される。
【００３９】
副反射部３２は、光源３１から射出された光束をリフレクター３３に向かって反射する。
副反射部３２は、例えば、石英やアルミナセラミックス等で形成され、図４に示すように、光源３１から射出された光束を反射する副反射本体部３２１、および半筒状の固定部３２２を有して構成されている。
【００４０】
副反射本体部３２１は、光束を反射する球面状の反射面３２Ａを有し、発光部３１１の略半分を覆うように形成されている。具体的に、副反射本体部３２１は、図３、図４に示すように、発光部３１１に対して僅かな間隙を有し、発光部３１１の下側（−Ｚ側）を覆うように形成されている。反射面３２Ａには、蒸着によって、高反射性部材、例えば、誘電体多層膜や金属部材が形成されている。高反射性部材は、可視領域の波長の光について高い反射率を有する部材が用いられている。
【００４１】
固定部３２２は、図４に示すように、光源３１の後段側封止部３１３の下方（−Ｚ方向）の外側を覆うように形成され、一方の端面が副反射本体部３２１に接続されている。副反射部３２は、固定部３２２が光源３１の後段側封止部３１３と共にリフレクター３３に固着される。
【００４２】
リフレクター３３は、耐熱ガラス製であり、図３、図４に示すように、光源３１の上方（＋Ｚ方向）を覆うように形成された楕円面状の反射面３３Ａを有し、光源３１の下方に位置する部位が切断されたような形状を有している。
反射面３３Ａには、蒸着によって、可視領域の波長の光について高い反射率を有する高反射性部材、例えば誘電体多層膜や金属部材が形成されている。そして、リフレクター３３は、光源３１から射出された光束、および副反射部３２で反射した光束を反射する。なお、反射面３３Ａの形状は、楕円面状に限らず、方物面状となるように形成してもよい。
【００４３】
また、リフレクター３３の後側（−Ｘ側）には、図４に示すように、後段側封止部３１３および固定部３２２が固着される固着部３３１が形成されている。具体的に、固着部３３１は、後段側封止部３１３および固定部３２２が挿通されるように筒状に形成されている。光源３１および副反射部３２は、後段側封止部３１３および固定部３２２が固着部３３１に固着されてリフレクター３３に保持される。また、光源３１は、後段側封止部３１３が固着部３３１から後方に突出して配置される。
【００４４】
平行化レンズ３４は、平面視において、外形が一部の直線部を有して円形状に形成され、リフレクター３３の前方に配置される。
【００４５】
保持部６は、高耐熱性材料で形成され、リフレクター３３、および平行化レンズ３４を保持する。具体的に、保持部６は、図３、図４に示すように、光源３１、副反射部３２、リフレクター３３、および平行化レンズ３４を内部に収納する箱状の前側保持部６１、および前側保持部６１の後方に位置する蓋状の後側保持部６２を有している。
【００４６】
前側保持部６１は、図４に示すように、前側（＋Ｘ側）および後側（−Ｘ側）にそれぞれ開口部６１１，６１２が形成されており、前側の開口部６１１には、平行化レンズ３４が配置される。リフレクター３３は、縁部が前側保持部６１の図示しない突起部等と共に図示しない板バネ等によって挟持され、前側保持部６１に固定される。なお、平行化レンズ３４は、板金等によって前側保持部６１に固定されて開口部６１１に配置されるように構成してもよい。
【００４７】
また、前側保持部６１の右側（＋Ｙ側）の側面および左側（−Ｙ側）の側面には、図３、図４に示すように、それぞれ開口部６１３，６１４が設けられている。
図５は、据置き対応状態の光源装置３を模式的に示す図であり、前方（＋Ｘ方向）から見た断面図である。なお、図４と同様に、図５において、光源装置３の姿勢を明確にするために、光源装置３を据置き姿勢のプロジェクター１に組み込んだ際の、外装筐体５の外形形状およびプロジェクター１が設置される設置面ＴＢを２点鎖線で模式的に示す。
【００４８】
図５に示すように、据置き対応状態の光源装置３において、開口部６１３は、冷却ファン４１から吐出された空気が光源装置３の内部に流入する流入口として機能する。また、開口部６１３および冷却ファン４１の位置は、図５に示すように、冷却ファン４１から吐出された空気が光源３１の下側より上側に向かって多く流れるように設定されている。
【００４９】
開口部６１４は、据置き対応状態の光源装置３において、光源装置３の内部に流入した空気が外部に流出する流出口として機能する。また、開口部６１４は、図５に示すように、後述する回転軸６２Ｊに対して、開口部６１３と互いに１８０°回転対称となる形状を有するように形成されている。そして、開口部６１４から流出した空気は、排気ファン４２によってプロジェクター１の外部に排出される。
【００５０】
後側保持部６２は、図４に示すように、筒状の軸部６２１、および軸部６２１の前方の端部に形成されたフランジ部６２２を備えている。
軸部６２１は、Ｘ方向、つまり光源装置３が射出する光束の射出方向（光束射出方向）と同一方向に延出する回転軸６２Ｊを中心軸として形成されている。回転軸６２Ｊは、光源３１の光軸３１Ｊに対して離間して設けられている。具体的に、回転軸６２Ｊは、図４に示すように、据置き対応状態で光軸３１Ｊの上方（＋Ｚ方向）で、リフレクター３３の上端と副反射部３２の下端との略中央部に位置するように設けられている。
【００５１】
軸部６２１は、リフレクター３３から突出する後段側封止部３１３が内面に配置されるような大きさに形成されており、外周には、帯状の突起部６２１１が設けられている。
突起部６２１１は、フランジ部６２２から所定の寸法を有して離間して形成されており、フランジ部６２２とで案内溝６２Ｇを形成している。案内溝６２Ｇには、後述する支持部７の係合部７Ａが嵌合され、後側保持部６２は、支持部７に対して、回転軸６２Ｊを中心に回動可能になっている。
【００５２】
フランジ部６２２は、前方（＋Ｘ方向）から見た外形が前側保持部６１の外形と同等に形成され、後側（−Ｘ側）の面には、図３に示すように半球状の凹部６２２１，６２２２が形成されている。この２つの凹部６２２１，６２２２は、互いに回転軸６２Ｊを中心に１８０°回転対称に形成されている。後側保持部６２は、リフレクター３３が前側保持部６１に固定された後、図示しないネジ等によって前側保持部６１の後側の端面に固定される。
【００５３】
支持部７は、回転軸６２Ｊを中心として、保持部６を回動可能に支持する。支持部７は、高耐熱性材料で箱状に形成され、図３に示すように、前方（＋Ｘ方向）から見て後側保持部６２の外形と同等の形状を有する支持本体部７１、および支持本体部７１の右方（＋Ｙ方向）に設けられたコネクター固定部７２を有している。
【００５４】
支持本体部７１は、上側を構成する上側支持部７１１および下側を構成する下側支持部７１２を有して構成されている。支持本体部７１の前側の面には、図３に示すように、上側支持部７１１および下側支持部７１２で形成される平面視円形の開口部が設けられている。この開口部は、保持部６を支持する部位であり、図４に示すように、縁部（係合部７Ａ）が案内溝６２Ｇに係合される。
【００５５】
具体的に、上側支持部７１１および下側支持部７１２は、軸部６２１に対して上方、下方からそれぞれ組み込まれて係合部７Ａが案内溝６２Ｇに係合し、図示しないネジ等によって互いが固定される。そして、保持部６は、案内溝６２Ｇが係合部７Ａに係合した状態で、支持部７に対して前後方向（±Ｘ方向）の位置が決められ、回転軸６２Ｊを中心として滑らかに回動可能となる。
【００５６】
また、支持本体部７１の前側（＋Ｘ側）の面には、図３に示すように、後側保持部６２の凹部６２２１と対向する位置に、円柱状の凹部７１３が形成されている。この凹部７１３には、球形状のスチールボール７３、およびコイルバネ７４が配置される。
【００５７】
スチールボール７３は、後側保持部６２の凹部６２２１と係合可能なサイズに形成され、コイルバネ７４は、スチールボール７３を押圧可能なサイズに形成されている。そして、スチールボール７３は、先端が支持本体部７１の前側の面から露出し、コイルバネ７４は、スチールボール７３の後方から押圧するように凹部７１３に配置される。
そして、保持部６は、凹部６２２１がスチールボール７３に係合された位置において据置き対応状態に位置決めされる。
【００５８】
また、支持本体部７１の後側（−Ｘ側）の面には、図４に示すように、後方に突出する把持部７１４が形成されている。把持部７１４は、使用者が把持し、光源装置３を着脱し易いように形成されている。
【００５９】
コネクター固定部７２は、図３に示すように、直方体状に形成され、前側（＋Ｘ側）の面には、開口部７２１が形成され、開口部７２１の上側（＋Ｚ側）の端部には、開口部７２１内に突出し、上下方向に変形可能な係止部７２２が設けられている。コネクター８は、電源装置ＰＳの出力端子（図示せず）と接続される接続端子が前方（＋Ｘ方向）に露出するように開口部７２１に挿入され、係止部７２２によって係止されてコネクター固定部７２に固定される。
【００６０】
コネクター固定部７２の右方（＋Ｙ方向）、および支持本体部７１の左方（−Ｙ方向）には、丸孔が形成されたボス７２３が設けられている（支持本体部７１の左方のボスは図示せず）。
【００６１】
光源装置３は、光学部品用筐体２７の後方（−Ｘ方向）から挿入され、ボス７２３の丸孔にネジが挿通されて光学部品用筐体２７にネジ固定される。光源装置３は、光学部品用筐体２７に挿入される際にコネクター８が電源装置ＰＳの出力端子に接続される。一方、光学部品用筐体２７に固定された光源装置３は、ボス７２３の丸孔に挿通されたネジの螺合が解除された後、後方に引き出されることによって、光学部品用筐体２７から取り外される。
【００６２】
また、保持部６は、後側保持部６２および支持部７に設けられた当接部（図示せず）によって、支持部７に対して回動する範囲が規制されている。具体的に、保持部６は、図３に示すように、前方から見て据置き対応状態から反時計回り（図３おける矢印ＣＣＷの回転方向）に１８０°回動可能に構成されている。一方、保持部６は、据置き対応状態から時計回りに回動させる際、および据置き対応状態から反時計回りに１８０°を超えて回動させる際には、後側保持部６２および支持部７のそれぞれの当接部が当接してそれ以上の回動ができないように構成されている。なお、光源３１とコネクター８との間に配線されるケーブルは、一方の端部がコネクター８に接続されて固定され、他方の端部は、光源３１に固定されて光源３１と共に回動されることとなる。
【００６３】
そして、保持部６は、据置き対応状態から反時計回りに１８０°回動されると、後側保持部６２の凹部６２２２がスチールボール７３に係合して天吊り姿勢に対応した状態（以下、「天吊り対応状態」という）に位置決めされる。
図６、図７は、天吊り対応状態の光源装置３を模式的に示す図であり、図６は、右方から見た断面図、図７は、前方から見た断面図である。なお、図６、図７において、光源装置３の姿勢を明確にするために、光源装置３を天吊り姿勢のプロジェクター１に組み込んだ際の、外装筐体５の外形形状およびプロジェクター１が設置される天井面ＣＥを２点鎖線で模式的に示す。
【００６４】
図６に示すように、天吊り姿勢のプロジェクター１において、リフレクター３３は、反射面３３Ａが光源３１の上方に位置し、副反射部３２が光源３１の下方に位置するように配置される。つまり、図４、図６に示すように、光源３１の上側となる部位は、プロジェクター１の据置き姿勢、および天吊り姿勢の双方において同一となり、据置き姿勢において、光源３１の上側となる部位は、天吊り姿勢においても上側となる。
【００６５】
図７に示すように、天吊り対応状態において、保持部６の開口部６１４は、冷却ファン４１から吐出された空気が光源装置３の内部に流入する流入口として機能し、開口部６１３は、光源装置３の内部に流入した空気が外部に流出する流出口として機能する。また、開口部６１４は、前述したように、回転軸６２Ｊに対して、開口部６１３と１８０°回転対称となる形状を有するように形成されているので、図７に示すように、冷却ファン４１から吐出された空気は、光源３１の下側より上側に向かって多く流れる。そして、開口部６１３から流出した空気は、排気ファン４２によってプロジェクター１の外部に排出される。
【００６６】
このように、光源装置３は、保持部６が支持部７に対して回動されることによって、プロジェクター１の据置き姿勢、および天吊り姿勢の双方において、光源３１の上側となる部位が同一となるように構成されている。そして、冷却ファン４１から吐出された空気は、光源３１の下側より上側、つまり、光源３１の上側のリフレクター３３の反射面３３Ａとの間に充分流れるようになっている。
【００６７】
以上説明したように、本実施形態のプロジェクター１によれば、以下の効果を得ることができる。
（１）本実施形態の光源装置３によれば、プロジェクター１の据置き姿勢、および天吊り姿勢の双方において、光源３１の上側、つまり、リフレクター３３の反射面３３Ａとの間により多くの冷却空気を流通させ、光源３１を冷却することができる。よって、光源装置３は、空気の流れを変更させる機構等を用いることなく小型化や薄型化が図られつつ、光源３１の効率的な冷却が可能となる。
【００６８】
（２）本実施形態の光源装置３によれば、保持部６には、開口部６１３，６１４が形成されているので、これらの開口部を光源装置３内に冷却空気を取り込むための開口部、および光源装置３内の温まった空気を排出するための開口部として構成することができる。また、開口部６１３，６１４は、回転軸に対して互いに１８０°回転対称となる形状を有しているので、光源装置３は、保持部６が１８０°回動される前と、１８０°回動された後とで、空気が流通する流路を同様に形成することが可能となる。よって、プロジェクター１の据置き姿勢および天吊り姿勢の双方において、同様の流路によって光源３１を効率的に冷却することが可能となる。
【００６９】
（３）本実施形態の光源装置３によれば、回転軸６２Ｊは、光軸３１Ｊに対して離間し、リフレクター３３の上端と副反射部３２の下端との略中央部に位置するように設けられている。これによって、回転軸６２Ｊと光軸３１Ｊとを一致させた場合に比べて、リフレクター３３の回転軌跡を小さくできる。よって、保持部６が回動される前後における光源装置３の小型化や薄型化が図れる。
【００７０】
（４）本実施形態の光源装置３によれば、コネクター８は、支持部７に固定されているので、保持部６の回動にかかわらず所定の位置に固定される。よって、使用者は、光源装置３を光学部品用筐体２７に挿入する際に、電源装置ＰＳに安定してコネクター８を接続することができる。
【００７１】
（５）本実施形態の光源装置３によれば、保持部６には、凹部６２２１，６２２２が形成され、支持部７には、スチールボール７３およびコイルバネ７４が設けられているので、光源装置３は、据置き対応状態および天吊り対応状態が安定して維持される。また、凹部６２２１，６２２２それぞれがスチールボール７３に係合される際にクリック感が生じるので、使用者は、支持部７に対して保持部６が位置決めされたことを明確に認識することができ、操作性向上が図れる。
【００７２】
（６）本実施形態の光源装置３によれば、保持部６は、支持部７に対して回動する範囲が規制されているので、光源３１とコネクター８との間に配線されるケーブルは、保持部６が回動される際に伴う捩れ等の負荷が軽減され、接続信頼性を維持することが可能となる。
【００７３】
（７）本実施形態のプロジェクター１によれば、上述した光源装置３を備えているので、据置き姿勢、および天吊り姿勢の双方において、光源３１を効率的に冷却することが可能になると共に、小型化や薄型化が図られる。
【００７４】
（８）本実施形態のプロジェクター１によれば、光源３１は、効率良く冷却されるので、冷却ファン４１および排気ファン４２の回転数を下げることが可能となり、プロジェクター１の低騒音化が図れる。
【００７５】
（変形例）
なお、前記実施形態は、以下のように変更してもよい。
本実施形態の光源装置３は、副反射部３２を備えているが、副反射部３２を備えず、光源３１の上方、側方および下方を覆うように形成されたリフレクターを備えた光源装置にも適用できる。
【００７６】
保持部６あるいは支持部７にマーキングを施し、据置き対応状態と天吊り対応状態とを識別できるように構成してもよい。例えば、後側保持部６２に据置き対応状態を示す刻印Ａ、および天吊り対応状態を示す刻印Ｂを形成する。そして、据置き対応状態の場合には、刻印Ｂが隠蔽されて刻印Ａが露出し、天吊り対応状態の場合には、刻印Ａが隠蔽されて刻印Ｂが露出するように、支持部７を形成すること等が考えられる。これによって、誤った状態で光源装置３を光学部品用筐体２７に挿着することを抑制できる。
【００７７】
前記実施形態のプロジェクター１は、光変調素子として透過型の液晶パネル２５２を用いているが、反射型液晶パネルを利用したものであってもよい。また、光変調素子は、マイクロミラーアレイを用いたデバイス等を使用したものであってもよい。
【符号の説明】
【００７８】
１…プロジェクター、２…光学ユニット、３…光源装置、６…保持部、７…支持部、７Ａ…係合部、８…コネクター、２５…電気光学装置、２６…投射レンズ、３１…光源、３１Ｊ…光源の光軸、３２…副反射部、３２Ａ…反射面、３３…リフレクター、３３Ａ…反射面、４１…冷却ファン、４２…排気ファン、６２Ｇ…案内溝、６２Ｊ…回転軸、７１…支持本体部、７２…コネクター固定部、７３…スチールボール、７４…コイルバネ、２５２…液晶パネル、３１１…発光部、６１３，６１４…開口部、ＰＳ…電源装置。
【図１】
2011076734.tif 000003
【図２】
2011076734.tif 000004
【図３】
2011076734.tif 000005
【図４】
2011076734.tif 000006
【図５】
2011076734.tif 000007
【図６】
2011076734.tif 000008
【図７】
2011076734.tif 000009